(57)【特許請求の範囲】
【請求項１】
マウスピースとハンドルとを含む歯洗浄器において、
前記マウスピースは上歯槽と下歯槽を含み、前記上歯槽と下歯槽の内部には間隔を置いて設置される複数の開口ホールが分布され、前記開口ホールの一端には、前記マウスピースの内部に埋め込まれる複数の第１導管が連結され、前記第１導管の他端は、前記ハンドルの内部に延長されて進入され、またハンドルの内部に設置されるポンプモジュールのポンプ出口と連結され、前記ポンプモジュールは、ポンプの空気入口とポンプの入水口とをさらに含み、前記ポンプモジュールのポンプの入水口は導管を介して、ハンドルの内部の貯水モジュールに連結されて設置され、前記ポンプモジュールのポンプの空気入口は導管を介して、吸気口と連通され、前記ポンプの入水口と前記ポンプの空気入口とが前記ポンプを介して連通され、前記上歯槽と下歯槽の槽内壁に間隔を置いて設置される複数の突起がさらに分布され、少なくとも一部の前記突起全体は半中空状をなし、前記突起の外側は閉鎖され、前記突起内部は歯槽内壁に延長されて、開口状をなし、またマウスピースの内部に埋め込まれる第２導管と連通されることを特徴とする歯洗浄器。
【請求項２】
前記上歯槽と下歯槽との間に圧力センサーがさらに埋め込まれることを特徴とする請求項１に記載の歯洗浄器。
【請求項３】
前記突起に連結する前記第２導管と、前記開口ホールに連結する前記第１導管は、重合されることを特徴とする請求項１に記載の歯洗浄器。
【請求項４】
前記マウスピースの内部の少なくとも二つの前記第１導管は結合され、また少なくとも一つの共通パイプを形成して、前記ハンドルの内部に延長されて、ポンプモジュールのポンプ出口と連結されていることを特徴とする請求項１または３に記載の歯洗浄器。
【請求項５】
前記第２導管の他端は前記ハンドルの内部に延長されて進入され、全部の前記第２導管は、同じ共用パイプを形成して、前記ハンドルの内部に延長されて、他の一つのポンプ出口と連結されることを特徴とする請求項１に記載の歯洗浄器。
【請求項６】
前記ハンドル内には、スマート制御モジュールがさらに設置され、前記圧力センサーは、信号線を介してスマート制御モジュールと連結され、前記スマート制御モジュールはまた、信号線を介して前記貯水モジュールとポンプモジュールとそれぞれ連結されることを特徴とする請求項２に記載の歯洗浄器。
【請求項７】
前記マウスピース内または前記ハンドル内で前記マウスピースに接近する位置には、音波変換器がさらに設置され、前記音波変換器は、前記ハンドルの内部の励起モジュールと連結されることを特徴とする請求項１または２に記載の歯洗浄器。
【請求項８】
前記ポンプモジュールは、プログラム制御ポンプであり、前記プログラム制御ポンプは、一つのピストンポンプユニットを備え、前記ピストンポンプユニットは、電気動力伝達機構と、ピストンコアピンと、ピストンシリンダとを含み、前記ピストンシリンダには、少なくとも一つの開口が開設され、それぞれの前記開口とポンプの空気入口、ポンプの入水口とポンプ出口の間には、単一方向バルブがさらに設置されることを特徴とする請求項１に記載の歯洗浄器。
【請求項９】
前記ポンプの空気入口と連通される開口は、前記ピストンシリンダの前端面または側端面に設けられ、前記ポンプの入水口と連通される開口は、前記ピストンシリンダの前端面または側端面に設けられ、前記ポンプ出口と連通される開口は、前記ピストンシリンダの前端面に設けられることを特徴とする請求項８に記載の歯洗浄器。
【請求項１０】
前記ポンプの空気入口と連通される開口は、前記ピストンシリンダの前端面または側端面に設けられ、前記ポンプ出口と連通される開口は前記ピストンシリンダの前端面に設置され、ポンプ出口とピストンシリンダの前端面に設けられる開口の間は、導管を介して連結され、前記導管には、ポンプの入水口と連結される一つの通口が別に開設されることを特徴とする請求項８に記載の歯洗浄器。
【請求項１１】
前記ポンプモジュールとマウスピースの間には、プログラム制御バルブがさらに設けられ、前記プログラム制御バルブは、信号線を介してスマート制御モジュールと連結され、前記プログラム制御バルブは、一つの入口チャンネル及び少なくとも二つの出口チャンネルを備え、前記プログラム制御バルブの入口チャンネルは、導管を介して前期ポンプモジュールのポンプ出口と連結され、前記プログラム制御バルブの出口チャンネルは、マウスピースからハンドル部分内に伸びて進入される共通パイプと連結されることを特徴とする請求項４に記載の歯洗浄器。
【請求項１２】
前記ハンドル内には、充電式電池と、無線受電ユニットと、表示ユニットとがさらに設けられ、前記無線受電ユニットは、外部の充電可能なベースの無線電気発射ユニットと連結され、前記ハンドル内には、無線通信モジュールおよび／またはオーディオモジュールが設けられ、前記無線通信モジュールおよび／またはオーディオモジュールは、信号線を介して前記スマート制御モジュールと連結されることを特徴とする請求項６に記載の歯洗浄器。
【請求項１３】
前記上歯槽と下歯槽は、一つの連結部を介して連結され、前記連結部と前記上歯槽と下歯槽は一体に成型されることを特徴とする請求項１に記載の歯洗浄器。
【請求項１４】
前記上歯槽と下歯槽は底壁と両側壁に囲まれて形成され、前記上歯槽の外側壁中央位置には、ギャップがさらに開設されることを特徴とする請求項１に記載の歯洗浄器。
【請求項１５】
前記貯水モジュールは、一つの中空チェンバーを含み、前記中空チェンバー内には、導管が設置され、前記導管の一端は、ポンプモジュールのポンプの入水口と連結され、他端は中空チェンバーの内部に伸び、前記貯水モジュールは、前記中空チェンバーとマッチングされる貯水ボックスをさらに含み、
または、前記貯水モジュールは、一つの中空チェンバーを含み、前記中空チェンバーの一端は、導管を介してポンプモジュールのポンプの入水口に連結され、前記貯水モジュールは開くことができるカバーがさらに設けられ、前記貯水モジュールには、返気スロットがさらに設けられることを特徴とする請求項１に記載の歯洗浄器。
【請求項１６】
前記貯水モジュールは、一つの中空チェンバーを含み、前記中空チェンバー内には、導管が設置され、前記導管の一端は、ポンプモジュールのポンプの入水口と連結され、他端は中空チェンバーの内部に伸び、前記中空チェンバーには、注水孔と返気孔がさらに設置され、前記洗浄器は、前記中空チェンバーとマッチングされる注水モジュールをさらに含み、前記注水モジュールは、前記中空チェンバーとマッチングされる注水モジュールをさらに含み、前記注水モジュールは、挿管と、エアシリンダと、ピストンコアピンから構成され、前記挿管は前記注水孔に挿入されて、前記貯水モジュールに水を注入することができることを特徴とする請求項１に記載の歯洗浄器。
【発明の詳細な説明】
【技術分野】
【０００１】
本発明は、スマート電子機器日用品の技術分野に属し、特に、歯洗浄器に関するものである。
【背景技術】
【０００２】
手動歯ブラシ、電動歯ブラシ、または音波歯ブラシを問わず、従来の歯ブラシは、歯ブラシのヘッドが口腔で上下、左右、前後に移動し、それぞれの歯の歯表面と歯間を効果的に洗浄することができる。しかし、歯ブラシのヘッドが口腔中を移動することは、歯を磨く人の主動的な操作が必要であり、好ましくは、逐次的に移動することで、歯の洗浄効果が保証されるが、そうでない場合には、歯表面または歯間は効果的な洗浄を受けることができなくなる。特に、子供が歯磨きを嫌がる習性は、多くの親たちの課題となっている。
【０００３】
最近の市場では、スマート電動歯ブラシが現れ、音波を利用して歯間を洗浄すると同時に、ブルートゥース（登録商標）を介してモバイルデバイスと連結されて、いつ歯磨きをしたのか、歯磨きの時間の長さを記録する。また、前記歯ブラシは３Ｄモーションセンサーがさらに内蔵されて、死角まで洗浄されたのかどうかを計算することができる。しかし、このタイプの歯ブラシも歯を磨く人本人の主動的な逐次の操作が必要であり、そうでない場合には、歯の洗浄効果に影響を与える。
【０００４】
なお、市場にはスプレー及びジェット式の歯ブラシが現れ、水や空気を高速で噴射して口腔を洗浄する。スプレーに類似した歯ブラシもあるが、当該歯ブラシは、一つのノズルのみ備え、毎回口腔の内部の一箇所のみに向かって噴射することができ、何度も噴射しなければならず、いくつかの口腔の内部の隠れた部分は洗浄しにくく、洗浄範囲と効果は限定的で、ユーザーの体験感が比較的低い。
【発明の概要】
【０００５】
本発明が解決しようとする技術的課題は、従来の歯洗浄器の霧化効果が良くなく、洗浄効果が悪く、ユーザーの体験感が高くない問題を解決できる歯洗浄器を提供する。
【０００６】
本発明に使用される技術的な解決手段としては、主にマウスピースとハンドルからなり、前記マウスピースは上歯槽と下歯槽とを含み、その中、前記上歯槽と下歯槽内部には間隔を置いて設置される複数の開口ホールが分布され、前記開口ホールの一端には、前記マウスピースの内部に埋め込まれる導管が連結され、前記導管の他端は、前記ハンドルの内部に延長されて進入され、ハンドルの内部に設置されるポンプモジュールのポンプ出口と連結され、前記ポンプモジュールは、ポンプの空気入口とポンプの入水口とをさらに含み、前記ポンプモジュールのポンプの入水口は導管を介して、ハンドルの内部の貯水モジュールに連結されて設置され、前記ポンプモジュールのポンプの空気入口は導管を介して、ハンドル表面の吸気口と連通される歯洗浄器を提供することである。
【０００７】
また、前記マウスピースの連結部には、圧力センサーがさらに埋め込まれる。
【０００８】
また、前記ハンドル内には、スマート制御モジュールがさらに設置され、前記圧力センサーは、信号線を介してスマート制御モジュールと連結され、前記スマート制御モジュールは、また信号線を介して前記貯水モジュールとポンプモジュールとそれぞれ連結される。
【０００９】
さらに、前記上歯槽と下歯槽は底壁と両側壁に囲まれて形成され、前記上歯槽と下歯槽の両側壁の内壁面には、一定の間隔を置いて設置される複数の突起がさらに分布され、前記開口ホールも前記両側壁の内壁面に位置される。
【００１０】
好ましくは、少なくとも一部の前記突起全体は半中空状をなし、前記突起の外部は閉鎖され、前記突起の内部は歯槽内壁に延長されて、開口形状をなし、マウスピース内に埋め込まれる第２導管と連通される。
【００１１】
選択的に、前記第２導管と前記開口ホールに連結させる前記第１導管は重合され、即ち、両者は実質的に同じ導管である。
【００１２】
好ましくは、前記マウスピースの内部の少なくとも二つの前記第１導管は結合され、少なくとも一つの共通パイプを形成して、前記ハンドルの内部に延長され、ポンプモジュールのポンプ出口と連結される。
【００１３】
選択的に、前記第２導管の他端も前記ハンドルの内部に延長されて進入され、全部の前記第２導管は、同じ共通パイプを形成して、前記ハンドルの内部に延長され、ポンプモジュールの他のポンプ出口と連結される。
【００１４】
また、前記ハンドル内に設置されるスマート制御モジュールがさらに含まれ、前記圧力センサーは、信号線を介してスマート制御モジュールと連結され、前記スマート制御モジュールはまた、信号線を介して前記貯水モジュールとポンプモジュールとそれぞれ連結される。
【００１５】
また、音波変換器をさらに含み、前記音波変換器は、信号線を介してハンドル内に設けられる励起モジュールと連結され、前記音波変換器は、前記マウスピース内または前記ハンドルの内部の前記マウスピースに接近する位置に設けられる。
【００１６】
また、前記ポンプモジュールは、プログラム制御ポンプであり、前記プログラム制御ポンプは、一つのピストンポンプユニットを備え、前記ピストンポンプユニットは、電気動力伝達機構と、ピストンコアピンと、ピストンシリンダとを含み、前記ピストンシリンダには、少なくとも一つの開口が開設され、それぞれの前記開口とポンプの空気入口、ポンプの入水口とポンプ出口の間には、さらに単一方向バルブが設けられる。
【００１７】
また、前記ポンプの空気入口と連通される開口は、前記ピストンシリンダの前端面または側端面に設けられ、前記ポンプの入水口と連通される開口は、前記ピストンシリンダの前端面または側端面に設けられ、前記ポンプ出口と同じ開口は、前記ピストンシリンダの前端面に設置される。
【００１８】
また、前記ポンプの空気入口と連通される開口は、前記ピストンシリンダの前端面または側端面に設けられ、前記ポンプ出口と連通される開口は、前記ピストンシリンダの前端面に設けられ、ポンプ出口とピストンシリンダの前端面に設けられる開口の間は、導管を介して連結され、前記導管には、ポンプの入水口と連結される通口が別に開設される。
【００１９】
また、前記ポンプモジュールとマウスピースの間には、プログラム制御バルブがさらに設けられ、前記プログラム制御バルブは、信号線を介して前記スマート制御モジュールと連結され、前記プログラム制御バルブは、一つの入口チャンネル及び少なくとも二つの出口チャンネルを備え、前記プログラム制御バルブの入口チャンネルは、導管を介して前期ポンプモジュールのポンプ出口と連結され、前記プログラム制御バルブの出口チャンネルは、マウスピースからハンドル部分内に伸びて進入される共通パイプと連結される。
【００２０】
また、前記ハンドル内には、無線通信モジュールおよび/またはオーディオモジュールがさらに設けられ、前記無線通信モジュールおよび/またはオーディオモジュールは、信号線を介して前記スマート制御モジュールと連結される。
【００２１】
また、前記ハンドル内には、充電式電池と、無線受電ユニットと、表示ユニットがさらに設置され、前記無線受電ユニットは、外部の充電可能なベースの無線電気発射ユニットと連結される。前記表示ユニットはＬＥＤインジケータ、液晶タッチパネル、または音声提示の入力を使用する方式であることができ、洗浄器の充電状態を提示する。
【００２２】
好ましくは、前記上歯槽と下歯槽は、一つの連結部を介して連結され、前記連結部と前記上歯槽と下歯槽は一体に成型され、前記上歯槽と下歯槽の前記両側壁は喉部位に接近する内側壁及び唇部位に接近する外側壁を含み、ここで前記上歯槽の外側壁の中央部には、ギャップがさらに開設される。
【００２３】
また、本発明の歯洗浄器の中の前記貯水モジュールは、一つの中空チェンバーを含み、前記中空チェンバー内には、導管が設置され、前記導管の一端は、ポンプモジュールのポンプの入水口と連結され、他端は中空チェンバーの内部に伸び、前記貯水モジュールは、前記中空チェンバーとマッチングされる貯水ボックスをさらに含む。
【００２４】
なお、本発明の歯洗浄器の中の前記貯水モジュールは、一つの中空チェンバーを含み、前記中空チェンバーの一端は、導管を介してポンプモジュールのポンプの入水口に連結され、前記貯水モジュールは開くことができるカバーがさらに設けられ、前記貯水モジュールには、返気スロットがさらに設けられる。
【００２５】
また、本発明の歯洗浄器の中の前記貯水モジュールは、一つの中空チェンバーを含み、前記中空チェンバー内には、導管が設置され、前記導管の一端は、ポンプモジュールのポンプの入水口と連結され、他端は中空チェンバーの内部に伸び、前記中空チェンバーには、注水孔と返気孔がさらに設置され、前記洗浄器は、前記中空チェンバーとマッチングされる注水モジュールをさらに含み、前記注水モジュールは、挿管と、エアシリンダと、ピストンコアピンから構成され、前記挿管は前記注水孔に挿入されて、前記貯水モジュールに水を注入することができる。
【００２６】
本発明が提供する歯洗浄器は、先行技術と比較して、電動スプレー式の洗浄方式を使用して、手動で歯を磨く不快感を除去して、歯を磨く人はただ噛み合いと緩め運動をすることでよく、口腔の中で歯洗浄器を移動させる必要がなく、また、歯磨き粉、ブラシがなくても、歯を効果的に洗浄することができ、洗浄ヘッドから噴出されるミストは、歯間等の隠れた部分が良好な洗浄処理を受けるようにし、従来の電動噴水、またはジェットの方式と比較して、より優れた口腔洗浄効果を備え、霧化効果が良く、ユーザーにより快適な洗浄体験を与えることができる。
【図面の簡単な説明】
【００２７】
【図１】本発明の実施例に記載した歯洗浄器の外部構造図である。
【図２】図１に記載したマウスピース１の部分拡大図である。
【図３】本発明の実施例に記載したマウスピース式歯洗浄器のマウスピース部分の具体的な構造模式図である。
【図４（ａ）】本発明の実施例に記載したマウスピース式歯洗浄器の突起の通常状態での構造模式図である。
【図４（ｂ）】本発明の実施例に記載したマウスピース式歯洗浄器の突起の圧力を受けたときの構造模式図である。
【図４（ｃ）】本発明の一実施例に記載したマウスピース構造の一つの断面図である。
【図４（ｄ）】本発明の他の実施例に記載したマウスピース構造の一つの断面図である。
【図４（ｅ）】本発明の他の実施例に記載したマウスピース構造の一つの断面図である。
【図５】本発明に記載したマウスピース式歯洗浄器の内部構造模式図である。
【図６】本発明の実施例に記載した歯洗浄器のポンプモジュールの原理図である。
【図７（ａ）】本発明に記載した歯洗浄器のポンプモジュールの一実施例である。
【図７（ｂ）】本発明に記載した歯洗浄器のポンプモジュールの他の実施例である。
【図７（ｃ）】本発明に記載した歯洗浄器のポンプモジュールの他の実施例である。
【図７（ｄ）】本発明に記載した歯洗浄器のポンプモジュールの他の実施例である。
【図８】本発明の実施例に記載した歯洗浄器の貯水モジュールの一実施例である。
【図９】本発明の実施例に記載した歯洗浄器の貯水モジュールの他の実施例である。
【図１０】本発明の実施例に記載した歯洗浄器の貯水モジュールの他の実施例である。
【図１１】本発明の実施例に記載した歯洗浄器の貯水モジュールの他の実施例である。
【発明を実施するための形態】
【００２８】
下記の実施例は、ただ本発明の技術的解決手段をさらに明確に説明するためのもので、本発明の請求の範囲を限定してはならない。
【００２９】
以下添付された図面と具体的な実施例を結合して、本発明をより詳細に説明する。
【００３０】
図１を参照すると、本発明の実施例に係る歯洗浄器は、マウスピース１、ハンドル２を含み、前記ハンドル２の底部は、断面の直径がハンドル２よりも大きい底端３であり、前記底端３はハンドル２のハウジングと、一緒にパッケージされる。
【００３１】
図２、図３を合わせて参照すると、前記マウスピース１は上歯槽４、下歯槽５、および前記上歯槽と下歯槽を連結する連結部６を含み、ここで、前記上歯槽と下歯槽には、複数の開口ホール７が開設され、開口ホール７は、ユーザーの歯の各歯間の位置に対応し、前記開口ホール７の一端には、前記マウスピース１内に埋め込まれる複数の第１導管８が連結され、前記第１導管８の他端は、前記ハンドル２の内部に延長されて進入し、前記ハンドル２の内部に設けられたポンプモジュール９と連結され、ポンプモジュール９のポンプの圧力作用の下で、開口ホール７は、液体、気体、またはミスト（本発明では、ミストの方式を使用する）を噴出して、歯間の洗浄処理を行う。前記開口ホール７の構造は、歯の模型を構築したり、または３Ｄスキャンでユーザーの全体の歯の３Ｄモデルを構築たりして、その位置を歯の各歯間の位置に対応するように設置する。当然、前記開口ホール７の位置は、外側の４つの大臼歯の外端点位置に設置される。前記上歯槽と下歯槽は底壁及び両側壁に囲まれて形成され、断面が「Ｕ」字状をなし、前記両側壁は、喉部位に接近する内側壁、及び唇部位に接近する外側壁を含み、ここで、前記上歯槽４の外側壁中央部位にはギャップ６０が開設され、前記ギャップは、「Ｖ」字状を成し、ユーザーがマウスピースを着用して噛み合う動作を行う場合には、前記ギャップ６０の位置は、ユーザーの上唇小帯に対応されて、マウスピースを着用するときの位置決めを便利にする。
【００３２】
本発明では、前記上歯槽と下歯槽に複数の突起２７が開設され、少なくとも一部前記突起２７は、半中空状を成し、残りの部分の突起２７は、ソリッド形状をなすことができ、または全部の前記突起２７は、半中空状で設けられ、突起２７自体は一定の弾性を備え、前記突起２７及び開口ホール７は、すべて歯槽の内壁面に間隔を置いて分布され、突起２７は、比較的多く設置されることができ、その数は開口ホール７の数よりはるかに多くすることができる。前記突起２７は半球状、半楕円球状、角丸四角、または他の任意の適切な形状であり、ここではどのような限定もしない。前記突起２７が半中空状である場合、前記突起２７の外側は密封される閉鎖形状であり、内部は歯槽内に延長されて進入され、開口形状に設置されて、マウスピース１内に埋め込まれる第２導管５８と連通される。一方、前記第２導管５８は、上述したマウスピース内に埋め込まれる開口ホール７と連通される第１導管８と共用して同じ導管とし、即ち、両者は重合することもでき、もう一方、単独的に前記突起２７に専用の導管（本発明では第２導管５８）を設置し、動力を提供することもできる。
【００３３】
具体的には、図４（ａ）を参照すると、図４（ａ）は、本発明に記載した突起２７の通常状態（即ち、ポンプモジュールがポンプ圧力モーションを行っていないとき）での構造模式図である。通常状態では、前記突起２７は、曲がった形状をなす。図４（ｂ）は、本発明に記載した突起２７の内部に圧力を備える状態（即ち、ポンプモジュールがポンププレス動作を行い、突起の内部の気圧が洗浄器の外部大気圧と同じか、大きいとき）での構造模式図ある。このような状態で、前記突起２７は、まっすぐに膨らんだ形状をなす。前記突起２７は、前記第２導管５８の内部の圧力が増加するとき、上部に向かって膨らみ、圧力が減少するときに収縮される。具体的に本実施例では、ポンプモジュール９がポンププレス動作を往復で行うとき、ポンプ出口の空気は迅速に歯槽の内部の第２導管５８に圧入されて、半中空管１３の内部の圧力が迅速に増加され、半中空状の突起２７が堅く伸ばされ、図４（ｂ）の状態をなす。ポンプモジュール９のポンププレス動作が完了した後、半中空状の突起の内部の圧力は通常に回復するまで減少され、半中空状の突起２７が柔軟で曲げられるようにし、図４（ａ）の状態をなす。ポンプモジュール９がポンププレス動作を往復で行う場合、半中空状の突起２７は伸ばしと曲げの動作を往復で行うことにより、歯面が洗浄されるようにし、このほかに、通常の状態で、突起２７は、曲がった形状であり、曲がった形状から直立形状まで非常に短く、実行距離が小さく、二つの異なる状態の切替えを簡単に実現し、さらに歯を洗浄する作用をなす。
【００３４】
前記マウスピース１の連結部６には、少なくとも一つの圧力センサー１８が埋め込まれ、前記圧力センサー１８は、好ましくは、シート状に設計され、噛み合わせるときのセンシング面積を強化することができ、前記圧力センサー１８は、前記ハンドル２の内部に設けられるスマート制御モジュール１５と連結される。具体的に本実施例では、前記圧力センサー１８は二つであり、それぞれマウスピース１の中央両側に位置し、前記センサーのセンサヘッドは、シート状に連結部の中央に位置する。前記圧力センサー１８は、好ましくは、アクティブセンサーであり、一端は、導線を介して電源スイッチと連結され、他端は前記スマート制御モジュール１５と連結され、前記圧力センサー１８は、ユーザーがなされる噛み合う動作を検出することができる。上歯槽と下歯槽が噛み合うとき、圧力センサー１８は、設定された圧力値に達したことを検出すると、前記スマート制御モジュール１５に一つの信号を送信し、前記スマート制御モジュール１５は、ポンプモジュール９にポンププレス指令を送信し、ポンププレスの作用の下で、洗浄器マウスピース１の内壁に分布された開口ホール７が、液体、気体または気体液混合物を噴出するようにして、歯間が洗浄処理を受けるようにし、ポンププレスは、ポンププレス動作を繰り返して実行すると、その圧力は、時には大きく、時には小さくなり、同じく歯槽内壁に位置される複数の半中空状の突起２７も、時には伸ばされ、時には曲げられ、このように繰り返してブラッシングを行い、洗浄効果をさらに促進させる。ここで、ポンプモジュール９の入口は、図５に示すような一つの貯水缶と連結されて、噴水、スプレーを行い、またはハンドル２の表面の吸気口と連結されて、ジェット（本発明の実施例では、スプレー方式）を行うことができる。
【００３５】
図４（ｃ）を参照すると、図４（ｃ）は、突起２７とマウスピースのその他の部品が結合されることを示す一つの構造模式図である。本実施例で、前記突起２７は、ソリッド体であり、突起２７と連結される前記第２導管５８と、前記開口ホール７とを連結させる細導管８は、同じ導管であり、即ち、両者は共用される。この時、前記突起２７は、細導管８がそのパイプに開設した面積が導管本体の断面より大きい一つの弧状のチャンネルと見なされてもよい。
【００３６】
図４（ｄ）は、突起２７とマウスピースのその他の部品が結合されることを示すことの構造模式図である。図（４ｃ）と異なるのは、本実施例で、前記突起２７の構造は、半中空体であり、半中空体の構造及びその作業原理については既に説明したため、ここで詳細に説明しない。本実施例で、突起２７と連結する前記第２導管５８は、前記開口ホール７と連結する細導管８と同じ導管であり、即ち、両者は共用される。この時、前記突起２７は、細導管８が本体に開設した面積が導管本体の断面より大きい一つの弧状のチャンネルと見なされてもよい。
【００３７】
図４（ｅ）は、突起２７とマウスピースのその他の部品が結合されることを示す構造模式図である。図４（ｄ）と異なるのは、本実施例で、突起２７と連結する前記第２導管５８は、元のマウスピースの内部に埋め込まれて、開口ホール７と連通される細導管８と同じ導管ではなく、即ち、前記半中空状の突起２７に、専用のパイプを提供して動力を提供し、前記複数の第２導管５８と同様に一つのチャンネルに集合されて、ポンプモジュール９と連結され、即ち、ポンプモジュール９に２つの出口チャンネルを開設し、一つの出口チャンネルは、開口ホール７が位置される第１導管８に使用され、他の一つの出口チャンネルは、突起２７が位置される第２導管５８に使用される。単独に設置することの利点は、突起２７は、伸びと曲げ動作を往復で行うとき、元の第１導管８に圧力が存在するかどうかの影響を受けず、ポンプモジュール９に運動が存在するだけで、突起２７に伸びと曲げを往復で行うように促進することができる。ここで、前記第１導管８と重合されない場合、少なくとも二つの前記第２導管５８は、同じ共用パイプ５７を形成し、前記ハンドルの内部に延長され、ポンプモジュール９と直接連結される。当然、複数の共用パイプを形成する方法を使用することもできる。
【００３８】
本発明の一好ましい実施方式として、前記マウスピース１の内部の少なくとも二つの前記第１導管８は、互いに結合されて、少なくとも一つの共通パイプ４４を形成して、前記ハンドル２の内部に延長される。対応的に、前記ハンドル２の内部には、プログラム制御バルブ１９がさらに設けられ、前記プログラム制御バルブ１９は、ポンプモジュール９とマウスピース１の間に位置され、前記プログラム制御バルブ１９の入口チャンネルは、導管を介して前記ポンプモジュール９のポンプ出口と連結され、前記プログラム制御バルブ１９の出口チャンネルは一つずつ前記共通パイプ４４と連結され、前記プログラム制御バルブ１９は、また信号線を介して前記ハンドル２の内部に設けられたスマート制御モジュール１５と連結され、スマートモジュールの制御の下で、プログラム制御バルブ１９は、各チャンネルに対して選択的に通路または断路操作を行うことができ、１インプット８アウトプット（ｏｎｅ−ｉｎｐｕｔ  ｅｉｇｈｔ−ｏｕｔｐｕｔ）プログラムバルブを例に、８つの出口チャンネルの中で任意のいくつかのチャンネル、または全部のチャンネルを選択して開き、残りは閉じ、開口ホール７から噴出される液体またはミストの圧力の強さを増加させるために、好ましくは、毎回いくつかの出口チャンネルだけを選択して開く。このように、各共通パイプ４４と連結される導管は、マウスピース１の内部からツリー状の分岐構造をなす。前記ツリー状の分岐は、均一に分布されることができ、即ち、前記ツリー状の分岐構造の数と前記プログラム制御バルブ１９の出口チャンネルの数を乗算すると、開口ホール７の数と同じで、均一でない方法で分布されることもでき、即ち、比較的洗浄することが簡単な位置で、分岐される数が比較的多く（即ち、水圧が比較的小さい）、比較的洗浄することが難しい位置で、分岐された数が比較的少ない（水圧が大きくなる）。
【００３９】
図５を配合して参照すると、本発明の他の好ましい実施方式として、前記マウスピース１には、音波変換器１３が埋め込まれ、前記ハンドル２の内部には、信号線を介して前記音波変換器１３と連結される励起モジュール１４が設けられる。励起モジュール１４は、音波または超音波の周波数の電流を発生し、洗浄器マウスピース１に埋め込まれる音波変換器１３の振動子は、音波または超音波の周波数の電流の励起の下で、音波または超音波振動を発生し、前記振動は、突起２７に振動を発生させるようにし、各歯の各歯面に伝達して、歯面がより良い洗浄処理を受けるようにする。
【００４０】
前記連結部６と前記上歯槽と下歯槽は、一体に成型される。一体に成型される利点は、噛み合う実行距離が小さく、上歯槽と下歯槽の位置決めに有利で、噛み合わせるのに便利である。
【００４１】
前記マウスピース１の構造に対応し、良好なスプレーを実現するために、本発明は、非超音波噴射方式でスプレーを実現する。
【００４２】
再び図５を参照すると、前記ハンドル２の内部には、少なくとも一つの貯水モジュール１２と、少なくとも一つのポンプモジュール９（本実施例ではすべて一つ）が設けられ、前記ポンプモジュール９は、一つのポンプの入水口１０ａと、１つのポンプの空気入口１０ｂ及び１つのポンプ出口１１を含み、ポンプの空気入口１０ｂは、導管を介して外部の吸気口５１と連結され、前記ポンプの入水口１０ａは、導管８を介して前記貯水モジュール１２と連結され、前記ポンプモジュール９のポンプ出口１１は、導管を介して前記共通パイプ４４と連結され、共通パイプ４４とポンプ出口１１の導管は、同じものとして見られてもよい、ここで、ポンプの入水口１０ａの位置の導管は、貯水モジュール１２の中まで伸ばされ、前記貯水モジュール１２の水液は、前記導管８を介してポンプモジュール９に伝達される。本発明は、ポンプモジュール９の作用によって水を噴射させ、ポンプモジュール９は、ミストをポンプ出口１１から直接打ち出すことができ、マウスピース１の洗浄処理を実現することができる。前記プログラム制御ポンプは、一つのピストンポンプユニットを備え、前記ピストンポンプユニットには、ポンプの入水口が開設され、ポンプの空気入口とポンプ出口は、互いに連通された開口であり、各開口位置に接近する位置に少なくとも一つの単一方向バルブが設けられる。
【００４３】
具体的に図６、図７（ａ）を参照すると、前記ポンプモジュール９は、プログラム制御ポンプであり、前記プログラム制御ポンプは、一つのピストンポンプユニットを備え、前記ピストンポンプユニットには、ポンプの入水口１０ａ、ポンプの空気入口１０ｂ及びポンプ出口１１と連通される開口が開設される。ここで、第２導管５８の共用パイプ５７もポンプモジュール９の一つの開口に連結され、第１導管８の共通パイプ４４もポンプモジュール９の一つの開口に連結され、両者の開口は、一つの開口を共用することができ、別々に使用することもできる。説明の便宜のために、ポンプの空気入口１０ｂと連通する導管を第３導管と称し、ポンプ出口１１と連通する導管を第４導管と称し、前記第４導管の側端には、ポンプの入水口１０ａと連通する第５導管が連通され、第４導管と第５導管は、一つの連通部を備え、「Ｔ」字状のパイプが形成され、前記第３導管、第４導管及び第５導管の内部でピストンポンプユニットに接近する開口位置は、全部に少なくとも一つの単一方向バルブが設けられ、ポンプの空気入口１０ｂの単一方向バルブは、外部の空気の進入のみを許可し、ポンプの入水口１０ａの位置の単一方向バルブは、貯水モジュール１２の水の進入のみを許可し、ポンプ出口１１の位置の単一方向バルブは、ポンプ内部の気体がピストンポンプユニットから外部に排出されることのみを許可する。ここで、ポンプ出口１１に接近する位置の単一方向バルブＹは、第３導管と第４導管の連通部の位置の下に位置される。前記プログラム制御ポンプは、導線を介して前記ハンドル２の内部に設けられる電気供給スイッチングモジュール１６に連結され、また、信号線を介して前記ハンドル２の内部に設けられるスマート制御モジュール１５と連結される。前記スマート制御モジュール１５は、ポンプモジュール９に向かって制御信号を出力し、制御信号は、ポンププレス動作を起動、ポンププレス動作を停止、及びポンププレス動作の強度を含む。前記ピストンポンプユニットは、電気動力伝達機構９１、ピストンコアピン９２、及びピストンシリンダ９３を含み、前記電気動力伝達機構９１は、前記ピストンコアピン９２を推進させて前記ピストンシリンダ９３の内部で往復運動を行うようして、ポンプ入口１０から進入したミストがポンプ出口１１から噴出されるように制御する。
【００４４】
再び図７（ａ）を参照すると、図７（ａ）において、前記半中空状の突起２７に連結する前記第２導管５８と、前記開口ホール７に連結する第１導管８は共用で、即ち、両者は重合され、これによって、前記半中空状の突起２７の動作は、前記第１導管８の内部に圧力の存在するかどうかによって影響を受ける。ポンプの操作の便利のために、前記ピストンポンプユニットのポンプの入水口１０ａとポンプ出口１１は、ピストンシリンダ９３の同じ面に設けられ、他面は電気動力伝達機構６がピストンコアピン７の運動を推進する。
【００４５】
前記ピストンポンプユニットの作業原理は下記の通りである。
ピストンポンプユニットのピストンコアピン９２を抜き出す場合、ピストンシリンダ９１には負圧が形成される。このとき、単一方向バルブＸは開放され、空気は入気口からパイプと単一方向バルブＸを経て、ピストンシリンダ９１の内部に進入される。単一方向バルブＹは閉鎖され、「Ｔ」字状のパイプのＴ１端は阻塞される。
【００４６】
ピストンポンプのピストンコアピン９２をプッシュする場合、ピストンシリンダ９１の内部の気圧は迅速に増加する。このとき、単一方向バルブＸは閉鎖され、ピストンシリンダと入気口の間の開口チャンネルは阻塞される。単一方向バルブＹは開放され、ピストンシリンダの内部の空気は、「Ｔ」字状のパイプに圧入され、「Ｔ」字状のパイプのＴ２端に迅速に噴射される。これと同時に、Ｔ３端の内部の単一方向バルブＺは開放され、水流は入水口からパイプと単一方向バルブＺを経て、「Ｔ」字状のパイプのＴ３端からＴ２端に流れ、「Ｔ」字状のパイプはＴ２端から空気と水液の混合物（または「ミスト」と称する）を噴出する。
【００４７】
図７（ｂ）を参照すると、図７（ｂ）において、前記半中空状の突起２７に連結する前記第２導管５８と、前記開口ホール７に連結する第１導管８は別に使用され、ここで、前記ピストンシリンダ９３の前端面には、それぞれ２つの開口（開口一と開口二）が設けられ、ここで一つの開口（開口一）は、ポンプの空気入口１０ｂに連結され、別の開口と連結される、１つの開口（開口二）に設けられる導管には、二分流のＹ１端とＴ１端が形成され、Ｙ１端に位置されるポンプ出口５７は、前記第２導管５８がハンドルの内部に形成された共用パイプに連結され、Ｔ１端は、即ち「Ｔ」字状のパイプのＴ１であり、「Ｔ」字状のパイプのＴ１端には、単一方向バルブＹが設置される。「Ｔ」字状のパイプのＴ２端に位置されるポンプ出口１１は、開口ホール７にミストを提供する共通パイプ４４と連結され、「Ｔ」字状のパイプのＴ３端は、導管を介して入水口１０ａと連結され、Ｔ３端には、単一方向バルブＺが設置される。当然、前記ピストンシリンダ９０の前端面に単独で一つの開口を開設して、前記前記第２導管５８がハンドルの内部に形成される共用パイプと連結され、二分流の方法を使用しなくでもよい。
【００４８】
前記ピストンポンプユニットの作業原理は下記の通りである。
ピストンポンプのピストンコアピンを抜き出す場合、ピストンシリンダには負圧が形成される。このとき、開口一の単一方向バルブＸは開放され、空気は入気口からパイプと単一方向バルブＸを経て、ピストンシリンダの内部に進入され、開口二のＹ１端は半中空状の突起２７の内部の空気を吸い込み、半中空状の突起の収縮と曲げを加速させ、開口二のＴ１端の単一方向バルブＹは閉鎖され、「Ｔ」字状のパイプのＴ１端は阻塞される。ピストンポンプのピストンコアピンをプッシュする場合、ピストンシリンダの内部の気圧は迅速に増加され、このとき、開口一の単一方向バルブＸは閉鎖され、ピストンシリンダと入気口１０ｂとの間の開口チャンネルは阻塞され、開口二のＹ１端は半中空状の突起に空気を圧入させ、半中空状の突起内部の気圧は、迅速に増加して、半中空状の突起が伸ばされるようにする。
【００４９】
図７（ｃ）に示すように、図７（ｃ）において、前記半中空状の突起２７に連結する前記第２導管５８と、前記開口ホール７に連結する第１導管８は別に使用され、ここで、前記ピストンシリンダ９３の前端面には、二つの開口が設けられ（開口二と開口三）、それぞれ開口ホール７に連結されて使用される共通パイプ４４と連通されるポンプ出口１１と、半中空状の突起２７に連結される共用パイプと連通されるポンプ出口５７と連結され、また、前記ピストンシリンダ９３の側端面には、１つの開口（開口一）が設けられ、導管を介して入気口１０ｂに連結される。また、開口二と開口三は、同じ開口として共用されることができ、このとき、前記開口と連結される導管に、別途に一つの孔を開設して、二分流の方式を形成すればよい、ここでは詳細に説明しない。
【００５０】
前記ピストンポンプユニットの作業原理は下記の通りである。
ピストンポンプのピストンコアピン９２を抜き出す場合、ピストンシリンダには負圧が形成される。開口二は、まず、半中空状の突起２７の内部の空気を吸い込み、半中空状の突起２７の収縮と曲げをより加速させる。ピストンコアピンを引き続いて抜き出して、ピストンコアピンの位置が開口一の後端に戻った場合、ピストンシリンダ９３の負圧は開口一の単一方向バルブＸを駆動して開放し、空気は、入気口から単一方向バルブＸを経て、ピストンシリンダの内部に進入される。ピストンシリンダの開口三の単一方向バルブＹは閉鎖され、「Ｔ」字状のパイプのＴ１端は阻塞される。ピストンポンプのピストンコアピンをプッシュする場合、ピストンシリンダの内部の気圧は、迅速に増加される。このとき、開口一の単一方向バルブＸは閉鎖され、ピストンシリンダと入気口１０ｂとの間の開口チャンネルが阻塞され、開口二は、半中空状の突起に空気を圧入させ、半中空パイプの内部の気圧が迅速に増加して、半中空状の突起が伸ばされるようにし、開口三の単一方向バルブＹは開放され、ピストンシリンダの内部の空気は、「Ｔ」字状のパイプのＴ２端に迅速に噴射される。これと同時に、Ｔ３端の内部の単一方向バルブＺは開放され、水流は入水口１０ａからパイプと単一方向バルブＺを経て、「Ｔ」字状のパイプのＴ３端からＴ２端に流される。「Ｔ」字状のパイプは、Ｔ２端から空気と水液の混合物（または「ミスト」と称する）を噴出する。
【００５１】
図７（ｄ）を参照すると、図７（ｄ）において、前記ポンプの入水口１０ａとポンプの空気入口１０ｂは、同一の開口（ピストンシリンダの前端面に位置される開口一）として共用され、前記ピストンシリンダ９３の前端面には、二つの開口（開口二と開口三）がさらに設けられ、開口二は、導管を介して開口ホール７に使用される共通パイプ４４と連通されるポンプ出口１１と連結され、開口三は、導管を介して半中空状の突起２７に使用される共用パイプと連通されるポンプ出口５７と連結される。当然、本実施例では、前記開口一は、同じくピストンシリンダ９３の側端面に設置されることができ、または前記開口二と開口三は、同じ一つの開口として共用されることができ、この時、前記開口と連結される導管に別途に一つの孔を開設して、二分流の方式を形成すればよい、ここでは詳細に説明しない。
【００５２】
前記ピストンポンプユニットの作業原理は下記の通りである。
ピストンポンプのピストンコアピン９２を抜き出す場合、ピストンシリンダ９３には負圧が形成される。このとき、開口一の単一方向バルブＸは開放され、空気はポンプの空気入口１０ｂから、水はポンプの入水口１０ａから、単一方向バルブＸを経て、ピストンシリンダ９３の内部に進入される。開口二は、突起の内部のミストを吸い込み、半中空状の突起２７の収縮と曲げを加速させる。開口三の単一方向バルブＺは閉鎖され、開口三は阻塞される。ピストンポンプのピストンコアピンをプッシュする場合、ピストンシリンダの内部の気圧は迅速に増加され、このとき、開口一の単一方向バルブＸは閉鎖され、ピストンシリンダ９３と、ポンプの空気入口１０ｂとポンプの入水口１０ａとの間のチャンネルは阻塞される。開口二は、半中空状の突起２７にミストを圧入させる。突起２７の内部の気圧が迅速に増加されて、突起がのばされる。開口三の単一方向バルブＺは開放され、ピストンシリンダ９３の内部の空気と水の混合物（または「ミスト」と称する）は、迅速に噴出される。
【００５３】
説明しなければならないのは、図７（ａ）乃至図７（ｄ）のポンプモジュールの構造において、もし単独で前記半中空状の突起２７に専用のチャンネルを設置すると、即ち、前記第１導管８と共用されない場合、前記共用パイプ５７からピストンシリンダの開口までの間に単一方向バルブを設置せずに、突起２７をピストンで往復運動させるとき、開口ホール７が位置される導管の気圧の影響を受けずに、自由に換気することができる。また、共用パイプ５７が位置されるポンプ出口からピストンシリンダの前端面に設置される開口と、共通パイプが位置されるポンプ出口からピストンシリンダの前端面に設けられる開口とが連結され、両者に使用される開口は、同じ開口とすることができ、異なる開口とすることもでき、異なる開口を使用する場合、二分流の方式で設置すればよい。
【００５４】
本発明の実施例において、前記貯水モジュール１２は、一つの中空チェンバー３０と、加熱ユニットとを含み、中空チェンバー３０には、液体があり、前記加熱ユニットは、主に中空チェンバー３０の内部の水を加熱させる。
【００５５】
なお、本発明の前記貯水モジュール１２の一つの具体的な実施例として、図８を参照すると、前記貯水モジュールには、密封カバー３９が設置される。ユーザーはカバー３９を開いた後、うがい水を直接に貯水モジュールの中空チェンバー３０に注入させることができる。好ましくは、前記中空チェンバー３０の最上部には、返気スロット３３が設置される。返気スロット３３の一端は、中空チェンバー３０の外部に開口され、開口が比較的に大きく、他端は中空チェンバー３０の内部に開口され、開口が比較的に小さくて、平らな形状をなす。小さなスロット３３は、一定の弾性を備え、普段はコンパクトで閉合されて、中空チェンバー３０の内部の水液が返気スロットを介して溢れることができなくなる。貯水モジュール１２の中空チェンバーの内部に負圧（チェンバーの内部の気圧が外部の気圧より小さい）が存在する場合、外部の空気は、返気スロット３３を介して中空チェンバーの内部に進入される。返気スロット３３は、独立的に設置されることができ、カバー３９に設置されることもできる。
【００５６】
本発明の貯水モジュール１２の他の実施方式として、図９を参照すると、前記貯水モジュール１２は、一つの中空チェンバー３０を備え、前記中空チェンバー３０の内部には、導管が設置され、前記導管の一端は、ポンプモジュール９のポンプ入口１０と連結され、他端は、中空チェンバー３０の内部に伸ばされ、前記中空チェンバーの内部には、前記中空チェンバー３０とマッチングされる貯水ボックス３１が設置される。好ましくは、前記貯水ボックスの上部には、密封カバーを備える開孔３２と返気小孔３２ａが設置される。前記貯水ボックス３１の密封カバーは閉合され、貯水ボックスがハンドル部分２の中空チェンバー３０の内部に挿入されると、中空チェンバーの内部に設置された導管と貯水ボックス３１の開孔３２は当接されて、貯水ボックスの開孔のカバーが中空チェンバー３０の内部の導管の一端に押し出され、貯水ボックス３１の内部に伸ばされることになる。ここで、前記貯水ボックスには、あらかじめ専用のうがい水を入れることができ、事前装入の段階から輸送、貯蔵、使用までのすべての段階で、すべて密封状態を維持して、貯水ボックスの内部の液体の腐食を防止することができる。
【００５７】
本発明の貯水モジュール１２の他の実施方式として、図１０を参照すると、前記貯水モジュール１２は、前記中空チェンバー３０の一端に注水孔３７と返気孔３８が設置されることができ、前記注水モジュールは挿管３９、エアシリンダ４０及びピストンコアピンからに構成される注水管であることが好ましい。ユーザーが洗浄器の貯水モジュール１２にうがい水を注入する場合、ユーザーは、まず注水管の挿管を装入された液体に挿入させ、好ましくは、うがい水の容器に挿入させ、ピストンコアピン４１を外部に抜き出し、うがい液体を注水管のエアシリンダに吸い込む。続いて、ユーザーは、注水管の挿管を注水孔３７に挿入させる。注水管の挿管の前端と注水孔３７が当接する場合、注水孔３７は、挿管によって押し出されて、注水管のエアシリンダは挿管の前端の小孔を介して、洗浄器の貯水モジュール１２の中空チェンバー３０と連通される。その後、ユーザーは注水管のピストンコアピン４１を前方にプッシュして、注水管のエアシリンダの内部のうがい液が挿管の前端の小孔から洗浄器の貯水モジュール１２の中空チェンバー３０の内部に流されるようにする。前記注水管は携帯し易く、またユーザーは、使用する洗浄液体を自主的に配備して選択することができ、セットの貯水ボックスを使用する必要がなく、個性化した歯洗浄を実現することができる。
【００５８】
前記図８、図９と図１０の貯水モジュール１２を図示した実施例において、前記各実施例に図示された貯水モジュール１２に加熱ユニットを設置することができ、図１１を参照すると、前記加熱ユニットは、電気加熱シート３４と、温度センサー３６と、加熱プログラム制御スイッチ３５とを含み、ここで、前記電気加熱シート３４は、前記中空チェンバー３０の側壁に設けられ、前記電気加熱シート３４の一端は、前記加熱プログラム制御スイッチ３５と連結され、前記加熱プログラム制御スイッチ３５は、導線を介して前記ハンドル２の内部に設けられた電気供給スイッチングモジュール１６と連結され、また信号線を介して前記ハンドル２の内部に設けられたスマート制御モジュール１５と連結され、前記電気加熱シート３４の一端は、前記温度センサー３６とさらに連結され、前記温度センサー３６は、導線を介して電気供給スイッチングモジュール１６と連結され、また信号線を介してスマート制御モジュール１５と連結される。
【００５９】
前記温度センサー３６は、信号線を介して貯水モジュール１２の現在の温度情報をスマート制御モジュール１５に送信し、前記スマート制御モジュール１５の周期的に受信された現在の温度と貯水モジュール１２の温度設定値を比較して、３０〜４０度の範囲内であることが好ましく、特に３５〜３７度の範囲内が好ましく、現在の温度が貯水モジュール１２の設定値の下限より低い場合、スマート制御モジュール１５は、「電気加熱を起動」の制御信号を送信し、前記加熱プログラム制御スイッチ３５ユニットはオンにされ、電気加熱シート３４は、加熱操作を開始し、温度が貯水モジュール１２の温度の設定値の上限より高い場合、スマート制御モジュール１５は、「電気加熱を停止」の制御信号を送信し、前記加熱プログラム制御スイッチ３５ユニットは断路され、電気加熱シート３４は操作を停止する。これによって、貯水モジュール１２の液体が口腔内での快適な温度に維持するようにし、液体の温度が低すぎるか高すぎてユーザーの口腔に刺激を与えることを防止する。
【００６０】
好ましくは、洗浄器のハンドル部分２の内部には、オーディオモジュール２３が設置されており、前記オーディオモジュール２３は、オーディオデータの保存、制御、スピーカー再生機能を提供する。ここで、オーディオモジュール２３に保存されるオーディオデータは、一つのオーディオデータ集合を含むことができる。前記オーディオデータ集合は、複数のオーディオデータクリップから構成され、そのオーディオデータの具体的な内容は、下記の通りである。オーディオデータクリップ１、こんにちは！。オーディオデータクリップ２、一回の歯磨き行動が完成されました、最高です！。オーディオデータクリップ３、私は休憩させていただきます、さようなら！。オーディオデータクリップ４、早く歯磨きをしましょう。
【００６１】
好ましくは、洗浄器のハンドル部分２の内部には、無線通信モジュール２２が設けられ、前記無線通信モジュール２２は、スマート制御モジュール１５に情報を送受信する機能を提供して、洗浄器とユーザーのスマート端末が互いに通信できるようにする。
【００６２】
好ましくは、洗浄器のマウスピース部分１とハンドル部分２の前述の各モジュールは、すべて統一されるように、単一のハウジングの内部にパッケージングされる。洗浄器のハンドル部分２の上部（マウスピース１に接近する部分）は、比較的細く、ハンドル部分２の下部（マウスピース１から遠く離れた部分）は、比較的太い。ハンドル部分２の下部には、電気供給モジュール１７などの質量が比較的大きいモジュールが埋め込まれる。洗浄器全体ハウジングの重心を十分に低くするために、洗浄器のハンドル２の下部にカウンターウェイト（ｃｏｕｎｔｅｒｗｅｉｇｈｔ）モジュール２６を設置することができる。これにより、当該洗浄器を水平面に安着させる場合、洗浄器と水平面が最初に接触する部位がハンドルの底端３でなければ、洗浄器がひっくり返って向きを変え、ハンドル２の底端３が、最終的に洗浄器と水平面の接触部位になるようにする。
【００６３】
本発明に係る実施例において、前記スマート制御モジュール１５は、圧力センサー１８からユーザーの噛み合う動作のセンシング信号を受信し、また温度センサーからの水の保存モジュールの温度情報を取得し、前記スマート制御モジュール１５は、励起モジュール１４と、ポンプモジュール９と、バルブモジュール１９と、貯水モジュール１２とにそれぞれ制御信号を送信して、これらのモジュールの動作を制御する。具体的には下記の通りである。
スマート制御モジュール１５は、励起モジュール１４に制御信号を送信し、制御信号は、励起動作を起動、励起動作を停止、及び励起動作により音波または超音波の周波数に応じた電流の強さや周波数を発生させることを含む。
【００６４】
スマート制御モジュール１５は、ポンプモジュール９に制御信号を送信し、制御信号は、ポンプの圧力動作を起動、ポンプ圧力動作を停止、及びポンプの圧力動作の強度を含む。
【００６５】
スマート制御モジュール１５は、バルブモジュール１９にルーティング（ｒｏｕｔｉｎｇ）指令を出力し、バルブの各チェネルに選択的に通路または断路操作を行う。
【００６６】
スマート制御モジュール１５は、貯水モジュール１２に制御信号を送信し、制御信号は、電気加熱を起動、電気加熱を停止することを含む。
【００６７】
スマート制御モジュール１５は、オーディオモジュール２３にクリップ選択指令を出力し、オーディオモジュール２３の各オーディオデータクリップの選択を行う。
【００６８】
本発明に係る実施例において、前記洗浄器の歯の洗浄操作は、下記の通りである。
洗浄器を起動させる場合、スマート制御モジュール１５に記録された噛み合う動作のカウンタの初期値は０である。
【００６９】
１）ユーザーは、洗浄器のマウスピース１を口腔に挿入して、上、下歯列が共に洗浄器のマウスピース部分１に囲まれるようにする。
【００７０】
２）ユーザーは、歯茎を噛み合う動作を行う。このとき、ユーザーの上、下列の各歯間の位置、及び上、下歯列の両側奥歯の外端のポイントの位置は、すべて、それぞれのマウスピース１の上歯槽と下歯槽の内壁面の開口ホール７と、互いに対応される。
【００７１】
３）洗浄器のマウスピース部分１に埋め込まれるセンサーは、ユーザーの噛み合う動作を検出する。センサーは、検出された噛み合う動作信号を、信号線を介して、スマート制御モジュール１５に伝達する。
【００７２】
４）スマート制御モジュール１５の噛み合う動作カウンタnに１を加えて、またＭＯＤ関数を６とする（ｎ ｍｏｄ（６））。
【００７３】
続いて、洗浄器は、下記のような動作を実行する。
４．１）まず、スマート制御モジュール１５は、バルブモジュール１９の予め設定されたモードの予定順に応じて、噛み合う動作カウンタがＭＯＤ関数を６とした値（ｎ ｍｏｄ（６））に基づいて、バルブモジュール１９のルーティング指令リストから一つのルーティング指令を選択する。
【００７４】
４．１．１）スマート制御モジュール１５は、バルブモジュール１９に１つのルーティング指令を送信する。
【００７５】
４．１．２）バルブモジュール１９は、ルーティング指令を受信した後、指令の要求に応じてオン/オフの動きを実行して、バルブモジュール１９の一連の出口チャンネル２１中でいずれか一つ、または複数のチャンネルが「オン」された状態を維持するようにし、残りのチャンネルは「オフ」された状態を維持するようにする。
【００７６】
４．１．３）続いて、スマート制御モジュール１５は、ポンプモジュール９にポンプの圧力を起動させる指令を送信する。
【００７７】
４．１．４）ポンプモジュール９は、ポンプの圧力の動作を繰り返して実行する。
【００７８】
４．１．５）ポンプの圧力の作用の下で、貯水モジュールの液体は、導管に吸入され、ピストンポンプユニットの作用により「ミスト」を生成して、洗浄器のマウスピース部分１の内壁に分布された開口ホール７がミストを噴出するようにすることで、歯間が洗浄処理を受けるようにする。
【００７９】
４．２）スマート制御モジュール１５は、バルブモジュール１９にルーティング指令を送信した後、続いて励起モジュール１４に励起を起動させる指令を送信する。
【００８０】
４．２．１）励起モジュール１４は、音波または超音波の周波数の電流を継続的に発生する。
【００８１】
４．２．２）洗浄器のマウスピース部分１に埋め込まれる音波変換器の振動子は、音波または超音波の周波数の電流の励起の下で、音波または超音波振動を発生する。
【００８２】
４．２．３）洗浄器のマウスピース部分１の内壁は、音波または超音波振動を各歯の各歯面に伝達することにより、歯面が洗浄処理を受けるようにする。
【００８３】
ユーザーが歯茎を緩めて、噛み合う動作を終止する。
【００８４】
６）洗浄器のマウスピース部分１に埋め込まれるセンサーは、ユーザーが噛み合う動作を終止したことを検出する。センサーは、検出された噛合終止動作信号を、信号線を介してスマート制御モジュール１５に伝達する。
【００８５】
続いて、洗浄器は、下記のような動作を実行する。
７．１）まず、スマート制御モジュール１５は、ポンプモジュール９にポンプの圧力を停止する指令を送信する。
【００８６】
７．２）ポンプモジュール９は、ポンプの圧力動作を停止する。
【００８７】
７．３）スマート制御モジュール１５は、励起モジュール１４に励起を停止する指令を送信する。
【００８８】
７．４）励起モジュール１４は、音波または超音波の周波数の電流の発生を停止する。
【００８９】
８）スマート制御モジュール１５は、動作カウンタnが６の整数倍であるか否かを判定し、整数倍の場合、オーディオモジュール２３は、再生指令情報２を送信する。オーディオモジュール２３は、再生指令情報２を受信した後、上述したオーディオデータ集合のオーディオデータクリップ２を再生する。
【００９０】
９）ユーザーは、再び歯茎を噛み合う動作を行う。３）に戻り、継続して実行する。
【００９１】
上述した歯の洗浄操作の段階で、洗浄器のスマート制御モジュール１５は、加えられた各項の動作と操作をスマート端末の洗浄器の操作日誌に記録して保存する。
【００９２】
本発明で提供される歯洗浄器は、電動スプレー式の洗浄方式を使用し、手動で歯を磨く不快感を除去して、歯を磨く人は噛み合わせて緩める運動をするだけでよく、口腔の中で歯洗浄器を移動させる必要がなく、また、歯磨き粉、ブラシがなくても、歯を効果的に洗浄することができ、洗浄ヘッドから噴出されるミストは、歯間等の隠れた部分が良好な洗浄処理を受けるようにする。従来の電動噴水、またはジェット（ｊｅｔ）の方式と比較して、より優れた口腔洗浄効果を備え、噴射効果が良く、ユーザーにより快適な洗浄体験を与える。
【００９３】
注意すべきことは、前記実施例は、単に本発明の好ましい実施例であって、それに応じて、本発明の請求の範囲を限定するためのものではなく、本発明は、前記の各構成要素の構造についての材料と構造の改善を進行することができ、または技術均等物を使用して交換することができる。したがって、本発明の明細書及び図示された内容を使用した均等な構造変化、または直接または間接的に他の関連する技術分野で使用されるのは、すべて同じように、本発明に含まれる範囲に属する。
【図１】
0006660468.tif 000002
【図２】
0006660468.tif 000003
【図３】
0006660468.tif 000004
【図４（ａ）】
0006660468.tif 000005
【図４（ｂ）】
0006660468.tif 000006
【図４（ｃ）】
0006660468.tif 000007
【図４（ｄ）】
0006660468.tif 000008
【図４（ｅ）】
0006660468.tif 000009
【図５】
0006660468.tif 000010
【図６】
0006660468.tif 000011
【図７（ａ）】
0006660468.tif 000012
【図７（ｂ）】
0006660468.tif 000013
【図７（ｃ）】
0006660468.tif 000014
【図７（ｄ）】
0006660468.tif 000015
【図８】
0006660468.tif 000016
【図９】
0006660468.tif 000017
【図１０】
0006660468.tif 000018
【図１１】
0006660468.tif 000019